(57)【要約】【課題】プロジェクタ検査用の暗室群であって、市場要求に応じて迅速に配備することができ、かつ、増設コストが低廉であり、さらに、配備のためのスペースを小さくできる暗室群を提供すること。【解決手段】プロジェクタ３０の検査用の複数の暗室からなる暗室群であって、暗室は、投射スクリーン５０が配置される投射スクリーン配置部１６と、投射スクリーン配置部１６に対向する作業用開口１２と、側壁部と、底部と、天井部と、を有し、投射スクリーン配置部１６の幅は、プロジェクタ３０の投影像の幅によって規定されており、作業用開口１２の幅は、プロジェクタ３０の投射レンズ４６の幅よりも広く、かつ、投射スクリーン配置部１６の幅よりも狭く規定されており、暗室は、隣接する他の暗室と側壁部１８を共有する。【選択図】図１
2007250509.tif 000002
【特許請求の範囲】
【請求項１】
プロジェクタの検査用の複数の暗室からなる暗室群であって、
前記暗室は、
投射スクリーンが配置される投射スクリーン配置部と、
前記投射スクリーン配置部に対向する作業用開口と、
側壁部と、
底部と、
天井部と、
を有し、
前記投射スクリーン配置部の幅は、前記プロジェクタの投射像の幅によって規定されて
おり、
前記作業用開口の幅は、前記プロジェクタの投射レンズの幅よりも広く、かつ、前記投
射スクリーン配置部の幅よりも狭く規定されており、
前記暗室は、隣接する他の前記暗室と前記側壁部を共有することを特徴とする暗室群。
【請求項２】
各前記暗室は、
一つの大暗室を、暗幕で区分することによって形成されていることを特徴とする請求項
１に記載の暗室群。
【請求項３】
複数の前記暗室は、直線状に配置されていることを特徴とする請求項１に記載の暗室群
。
【請求項４】
複数の前記暗室は、略円状に配置されていることを特徴とする請求項１に記載の暗室群
。
【請求項５】
複数の前記暗室は、共通の空気清浄化装置を有することを特徴とする請求項１に記載の
暗室群。
【発明の詳細な説明】
【技術分野】
【０００１】
本発明は、プロジェクタの検査において使用される暗室群に関するものである。
【背景技術】
【０００２】
従来、プロジェクタからスクリーンに写された投射像を観測して、プロジェクタ内部の
部品の位置が適切か否か等の検査が行われている。
このような検査には、例えば、諧調検査、色むら検査、光軸調整のための検査等がある
。これらの検査の精度を確保するために、これらの検査は外部からの光による外乱を遮断
することができる暗室において行われる。
これらの暗室は、多種の検査を行う工程ごとに必要であるため、検査の種類に応じて多
数必要である。このため、プロジェクタ製造工場において、暗室のために大きなスペース
が必要となるという問題がある。
これに対して、収束レンズ、透過型スクリーン、ＣＣＤカメラを備えた小型の暗室が提
案されている（例えば、特許文献１）。
【０００３】
【特許文献１】特開２００４−４５６２号公報
【発明の開示】
【発明が解決しようとする課題】
【０００４】
ところで、現在の激しく変動する市場要求に応じるために、製造ラインを迅速に増設す
る必要がある場合がある。このとき、プロジェクタの検査用の暗室も増設する必要がある
場合がある。
しかし、上述の技術においては、例えば、収束レンズ、透過型スクリーン、ＣＣＤカメ
ラという部材を調達する必要があり、迅速に暗室を増設できない場合がある。また、多数
の暗室を増設するための収束レンズ等の部材の調達コストが過大となる場合がある。
【０００５】
そこで、本発明は、プロジェクタ検査用の暗室群であって、市場要求に応じて迅速に配
備することができ、かつ、増設コストが低廉であり、さらに、配備のためのスペースを小
さくできる暗室群を提供することを目的とする。
【課題を解決するための手段】
【０００６】
前記目的は、第１の発明によれば、プロジェクタの検査用の複数の暗室からなる暗室群
であって、前記暗室は、投射スクリーンが配置される投射スクリーン配置部と、前記投射
スクリーン配置部に対向する作業用開口と、側壁部と、底部と、天井部と、を有し、前記
投射スクリーン配置部の幅は、前記プロジェクタの投射像の幅によって規定されており、
前記作業用開口の幅は、前記プロジェクタの投射レンズの幅よりも広く、かつ、前記投射
スクリーン配置部の幅よりも狭く規定されており、前記暗室は、隣接する他の前記暗室と
前記側壁部を共有することを特徴とする暗室群により達成される。
【０００７】
プロジェクタの投射レンズから投射された光束は、次第に広がってスクリーンに到達し
、像を形成する。このため、光束が通過する領域は、投射レンズ近辺の位置よりもスクリ
ーン近辺の位置が広がった形状になっている。
この点、第１の発明の構成によれば、前記投射スクリーン配置部の幅は、前記プロジェ
クタの投影像の幅によって規定されている。そして、前記作業用開口の幅は、前記プロジ
ェクタの投射レンズの幅よりも広く、かつ、前記投射スクリーン配置部の幅よりも狭く規
定されている。これは、前記暗室の大きさは、前記投射レンズから投射される光束の通過
領域の形状によって規定されていることを意味する。このため、投射像を観測して行う検
査用として、前記暗室は、必要十分な大きさである。
さらに、前記作業用開口の幅は前記投射スクリーン配置部の幅よりも狭いから、前記暗
室を前記天井部の上方から見た形状（以下、「平面形状」と呼ぶ）は、台形になっている
。そして、前記暗室は、隣接する他の前記暗室と前記側壁部を共有する。上述のように、
平面形状が台形であるから、無駄なスペースを生じることなく、直線状又は円状に、前記
暗室群を形成することができる。
各前記暗室は、その形状を規定するだけで構成でき、収束レンズや透過型スクリーン、
ＣＣＤカメラ等の部材を調達する必要はないから、市場要求に応じて迅速に配備すること
ができ、かつ、増設コストが低廉である。
また、前記暗室群は、無駄なスペースを生じることなく、直線状又は円状に、前記暗室
群を形成することができ、その配備のためのスペースを小さくできる。
このように、前記暗室群は、市場要求に応じて迅速に配備することができ、かつ、増設
コストが低廉であり、さらに、配備のためのスペースを小さくできる。
【０００８】
第２の発明は、第１の発明の構成において、各前記暗室は、一つの大暗室を、暗幕で区
分することによって形成されていることを特徴とする暗室群である。
【０００９】
第２の発明の構成によれば、前記プロジェクタの機種に応じて前記暗室の大きさを変更
する必要がある場合に、迅速に対応でき、かつ、コストも極めて低廉である。
【００１０】
第３の発明は、第１の発明の構成において、複数の前記暗室は、直線状に配置されてい
ることを特徴とする暗室群である。
【００１１】
第３の発明の構成によれば、１つの前記暗室の前記投射スクリーン配置部と、他の前記
暗室の前記作業用開口が交互になるように前記暗室が配置され、直線を形成する。このた
め、直線状に配置された前記暗室群の１つの側壁部において１つの検査ラインを形成し、
反対側の側壁部でもう１つの検査ラインを形成することができる。
【００１２】
第４の発明は、第１の発明の構成において、複数の前記暗室は、略円状に配置されてい
ることを特徴とする暗室群である。
【００１３】
第４の発明の構成によれば、１つの前記暗室の前記作業用開口と、他の前記暗室の前記
作業用開口が連続するように配置され、略円状の形状を形成する。このため、略円状に配
置された前記暗室群の中心部において、検査担当者が作業することができるから、作業効
率が良い。
【００１４】
第５の発明は、第１の発明の構成において、複数の前記暗室は、共通の空気清浄化装置
を有することを特徴とする暗室群である。
【００１５】
第５の発明の構成によれば、複数の前記暗室は、共通の空気清浄化装置を有するから、
前記暗室群を配備するためのコストは、一層低廉になる。
【発明を実施するための最良の形態】
【００１６】
以下、この発明の好適な実施の形態を添付図面等を参照しながら、詳細に説明する。
尚、以下に述べる実施の形態は、本発明の好適な具体例であるから、技術的に好ましい
種々の限定が付されているが、本発明の範囲は、以下の説明において特に本発明を限定す
る旨の記載がない限り、これらの態様に限られるものではない。
【００１７】
（第１の実施の形態）
図１は、本発明の第１の実施の形態に係る暗室群８Ａを示す概略平面図である。暗室群
８Ａは、後述のプロジェクタ３０（図５参照）の検査用の暗室群である。暗室群８Ａは、
暗室群の一例である。
図２は、暗室群８Ａを形成する個々の暗室１０を示す概略斜視図である。暗室１０は、
暗室の一例である。
図３は、暗室１０を側面から見た概略図である。
図４は、暗室１０を上面から見た概略図である。
各暗室１０においては、プロジェクタからスクリーンに写された投影像を観測して、プ
ロジェクタ内部の部品の位置が適切か否か等の検査が行わる。このような検査には、例え
ば、諧調検査、色むら検査、光軸調整のための検査等がある。
【００１８】
（プロジェクタ３０の構成）
図５は、暗室１０において検査の対象となるプロジェクタ３０の概観の一例を示す概略
斜視図である。
図６は、プロジェクタ３０を構成する光学ユニット４の主な部品を示す概略図である。
まず、プロジェクタ３０の構成を簡単に説明する。
【００１９】
図５に示すように、プロジェクタ３０は筐体３２と投射レンズ４６等を有する。
図６に示すように、プロジェクタ３０の光学ユニット４は、インテグレータ照明光学系
４１、色分離光学系４２、リレー光学系４３、光変調光学系及び色合成光学系を一体化し
た光学装置４４、及び、投射光学系としての投射レンズ４６を有する。
【００２０】
インテグレータ照明光学系４１は、光学装置４４を構成する３枚の液晶パネル４４１（
赤、緑、青の色光ごとにそれぞれ液晶パネル４４１Ｒ，４４１Ｇ，４４１Ｂとする）の画
像形成領域を略均一に照明するための光学系である。インテグレータ照明光学系４１は、
光源装置４１１、第１レンズアレイ４１２、第２レンズアレイ４１３、偏光変換素子４１
４、及び重畳レンズ４１５を備える。
【００２１】
色分離光学系４２は、２枚のダイクロイックミラー４２１，４２２と、反射ミラー４２
３を有する。ダイクロイックミラー４２１，４２２は、インテグレータ照明光学系４１か
ら射出された複数の部分光束を赤（Ｒ）、緑（Ｇ）、青（Ｂ）の３色の色光に分離する機
能を有している。
【００２２】
リレー光学系４３は、入射側レンズ４３１と、リレーレンズ４３３と、反射ミラー４３
２，４３４とを備え、色分離光学系４２で分離された色光である赤色光を液晶パネル４４
１Ｒまで導く機能を有している。
【００２３】
光学装置４４は、入射された光束を画像情報に応じて変調してカラー画像を形成する機
能を有する。光学装置４４は、色分離光学系４２で分離された各色光が入射される３つの
入射側偏光板４４２と、各入射側偏光板４４２の後段に配置される光変調装置としての液
晶パネル４４１Ｒ，４４１Ｇ，４４１Ｂと、各液晶パネル４４１Ｒ，４４１Ｇ，４４１Ｂ
の後段に配置される射出側偏光板４４３と、色合成光学系としてのクロスダイクロイック
プリズム４４４（以後、「プリズム４４４」と呼ぶ）を有する。
【００２４】
各液晶パネル４４１Ｒ，４４１Ｇ，４４１Ｂは、例えば、ポリシリコンＴＦＴをスイッ
チング素子として用いたものである。
入射側偏光板４４２は、色分離光学系４２で分離された各色光のうち、一定方向の偏光
光のみ透過させ、その他の光束を吸収するものである。入射側偏光板４４２は、サファイ
アガラス等の基板に偏光膜が貼付されたものである。
射出側偏光板４４３も、入射側偏光板４４２と略同様に構成され、液晶パネル４４１（
４４１Ｒ，４４１Ｇ，４４１Ｂ）から射出された光束のうち、所定方向の偏光光のみ透過
させ、他の光束を吸収するものである。
入射側偏光板４４２と射出側偏光板４４３は、互いの偏光軸の方向が直交するように設
定されている。
【００２５】
プリズム４４４は、射出側偏光板４４３から射出され、各色光ごとに変調された光学像
を合成してカラー画像を形成するものである。
プリズム４４４には、赤色光を反射する誘電体多層膜と青色光を反射する誘電体多層膜
とが、４つの直角プリズムの界面に沿って略Ｘ字状に設けられ、これらの誘電体多層膜に
よる３つの色光が合成される。
【００２６】
投射レンズ４６は、光学装置４４のプリズム４４４で合成されたカラー画像を拡大して
、外部のスクリーン５０に投射するものである。
図４に示すように、投射レンズ４６から投射される光束は、次第に広がってスクリーン
５０に到達する。
暗室１０は、プロジェクタ３０から投射される光束が次第に広がって、スクリーンに到
達するという特徴に着目して、その形状が規定されている。また、暗室群８Ａにおいては
、各暗室１０の形状を利用して、各暗室が配置されている。
【００２７】
（暗室１０の構造）
図２に示すように、暗室１０は、スクリーン５０（図４参照）が配置されるスクリーン
配置壁１６を有する。スクリーン配置壁１６は、スクリーン配置部の一例である。
また、暗室１０は、作業用開口１２を有する。作業用開口１２は、スクリーン配置壁１
６に対向して配置されている。作業用開口１２は、作業用開口の一例である。作業用開口
１２には遮光カーテン（図示せず）が配置されており、検査目的に応じて開閉される。
【００２８】
また、暗室１０は、側壁１８Ａ及び１８Ｂ、底部１４及び天井２０を有する。側壁１８
Ａ及び１８Ｂは側壁部の一例である。底部１４は底部の一例である。天井２０は天井部の
一例である。
【００２９】
図３は、図２の矢印Ａ１方向からみた概略断面図である。
図３に示すように、暗室１０内には、作業机２４が配置されている。作業机２４には、
プロジェクタ３０が載置されている。
スクリーン配置壁１６には、スクリーン５０が配置されている。
投射レンズ４６から投射された投射光Ｓは、次第に広がって、スクリーン５０に到達す
る。
【００３０】
図４は、図２の矢印Ａ２方向からみた概略断面図である。
図４に示すように、スクリーン配置壁１６の幅Ｌ１は、スクリーン５０の幅とほぼ等し
い。幅Ｌ１は、暗室１０内に、スクリーン５０を格納することができる必要十分な幅とし
て規定されている。
そして、スクリーン５０の幅は、プロジェクタ３０からの投射光Ｓによって形成される
投射像の幅によって規定される。すなわち、スクリーン５０の幅は、投射光Ｓによって形
成される投射像を写すのに必要十分な幅として規定されている。
これは、スクリーン配置壁１６の幅Ｌ１は、投射光Ｓによって形成される投射像の幅に
よって規定されることを意味する。
【００３１】
図４に示すように、作業用開口１２の幅Ｌ２は、投射レンズ４６の幅Ｌ３よりも広く、
かつ、スクリーン配置壁１６の幅Ｌ１よりも狭い。
検査担当者（図示せず）は、作業用机２４において検査作業を行う。このため、作業用
開口１２の幅Ｌ２は、作業用机２４の幅があれば十分である。
さらに、本実施の形態とは異なり、作業用机２４を暗室１０外に配置する場合には、作
業用開口１２の幅Ｌ２は、投射レンズ４６の幅Ｌ３以上であればよく、作業用机２４の幅
より狭くてもよい。
【００３２】
図１に示すように、各暗室１０（１０Ａ乃至１０Ｈ）は、図１に示すように、直線状に
配置されている。
例えば、暗室１０Ａの側壁１８Ａと暗室１０Ｂの側壁１８Ｂは共通の部材である。すな
わち、暗室群８Ａにおいては、各暗室１０Ａ等は、隣接する他の暗室と側壁を共有する。
【００３３】
また、暗室群８Ａは、各暗室１０Ａ等に共通のＦＦＵ（Ｆｉｌｔｅｒ  Ｆａｎ  Ｕｎｉ
ｔ）１１を有する。ＦＦＵ１１は、フィルタとファンが一体となった装置であり、フィル
タによって清浄化した空気をファンによって送風することができる。ＦＦＵ１１は、配管
１１ａによって、各暗室１０Ａ等に、清浄化した空気を送風することができる。このＦＦ
Ｕ１１は、空気清浄化装置の一例である。
ＦＦＵ１１から清浄化した空気の供給を受けることによって、各暗室１０Ａ等の内部は
常に清浄な空気で満たされる。このため、投射像を観測して行う検査において、暗室１０
Ａ等の内部に塵埃等が浮遊して検査の妨げになることを防止することができる。
【００３４】
図１に示すように、暗室群８Ａにおいては、検査ラインＤ１と検査ラインＤ２の２つの
検査ラインが形成されている。このため、例えば、１人の検査担当者が検査ラインＤ１を
使用し、他の検査担当者が検査ラインＤ２を使用して、同時に検査作業を行うことができ
る。
また、暗室群８Ａは、全体として１つの大きな大暗室が、暗幕で区切ることによって形
成されている。すなわち、各暗室１０Ａ等の側壁は暗幕である。
【００３５】
暗室群８Ａは、上述のように構成されている。
上述のように、投射スクリーン配置壁１６（図４参照）の幅Ｌ１は、プロジェクタ３０
の投影像の幅によって規定されている。そして、作業用開口１２の幅Ｌ２は、プロジェク
タ３０の投射レンズ４６の幅Ｌ３よりも広く、かつ、投射スクリーン配置壁１６の幅Ｌ１
よりも狭く規定されている。これは、暗室１０Ａ等の大きさは、投射レンズ４６から投射
される光束の通過領域の形状によって規定されていることを意味する。このため、投射像
を観測して行う検査用として、暗室１０Ａ等は、必要十分な大きさである。
さらに、作業用開口１２の幅Ｌ２は投射スクリーン配置壁１６の幅Ｌ１よりも狭いから
、暗室１０を天井２０（図２参照）側から見た形状（以下、「平面形状」と呼ぶ）は、台
形になっている。そして、暗室１０Ａ等は、隣接する他の暗室と側壁を共有する。上述の
ように、平面形状が台形であるから、無駄なスペースを生じることなく、直線状に、暗室
群８Ａを形成することができる。
各暗室１０Ａ等は、その形状を規定するだけで構成でき、収束レンズや透過型スクリー
ン、ＣＣＤカメラ等の部材を調達する必要はないから、市場要求に応じて迅速に配備する
ことができ、かつ、増設コストが低廉である。
また、暗室群８Ａは、無駄なスペースを生じることなく、直線状に形成されており、そ
の配備のためのスペースを小さくできる。
このように、暗室群８Ａは、市場要求に応じて迅速に配備することができ、かつ、増設
コストが低廉であり、さらに、配備のためのスペースを小さくできる。
【００３６】
また、各暗室１０Ａ等は、一つの大暗室を、暗幕で区分することによって形成されてい
るから、プロジェクタ３０の機種に応じて暗室１０Ａ等の大きさを変更する必要がある場
合に、迅速に対応でき、かつ、コストも極めて低廉である。
【００３７】
また、１つの暗室１０Ａ等のスクリーン配置壁１６と、他の暗室の作業用開口１２が交
互になるように暗室１０Ａ等が配置され、直線を形成する。このため、直線状に配置され
た暗室群８Ａの１つの側面において１つの検査ラインＤ１（図１参照）を形成し、反対側
の側面でもう１つの検査ラインＤ２を形成することができる。このため、生産性が向上す
る。
【００３８】
さらに、複数の暗室１０Ａ等は、共通のＦＦＵ１１を有するから、暗室群８Ａを配備す
るためのコストは、一層低廉になる。
【００３９】
（第２の実施の形態）
次に、第２の実施の形態について説明する。
【００４０】
図７は、第２の実施の形態の暗室群８Ｂを示す概略平面図である。
暗室群８Ｂを構成する個々の暗室１０Ａ等の構成は、第１の実施の形態の暗室１０Ａ等
と同様である。
図７に示すように、暗室群８Ｂは、略円状に配置されている。
図７に示すように、例えば、暗室１０Ａの作業用開口１２と、他の暗室１０Ｂの作業用
開口１２が連続するように配置され、略円状の形状を形成する。
作業担当者甲は、例えば、プロジェクタ３０を暗室１０Ａ，１０Ｂの順番で移動させな
がら、甲自身も円Ｃの範囲を移動するだけで、検査作業をすることができる。
このように、略円状に配置された暗室群８Ｂの中心部において、検査担当者甲が作業す
ることができ、プロジェクタ３０の移動動線も、作業担当者甲の移動動線も短い。
また、作業担当者甲が一人で複数の検査を短時間に行うことができる。
このため、暗室群８Ｂを用いた検査は、作業効率が良い。
【００４１】
本発明は、上述の各実施の形態に限定されない。さらに、上述の各実施の形態は、相互
に組み合わせて構成するようにしてもよい。
【図面の簡単な説明】
【００４２】
【図１】本発明の第１の実施の形態に係る暗室群を示す概略平面図。
【図２】暗室群を形成する個々の暗室を示す概略斜視図。
【図３】暗室を側面から見た概略図。
【図４】暗室を上面から見た概略図。
【図５】プロジェクタの概観の一例を示す概略斜視図。
【図６】プロジェクタを構成する光学ユニットの主な部品を示す概略図。
【図７】第２の実施の形態の暗室群を示す概略平面図。
【符号の説明】
【００４３】
８Ａ，８Ｂ…暗室群、１０…暗室、１２…作業用開口、１４…底部、１６…スクリーン
配置壁、１８Ａ，１８Ｂ…側壁、２０…天井、３０…プロジェクタ、４６…投射レンズ、
５０…スクリーン。
【図１】
2007250509.tif 000003
【図２】
2007250509.tif 000004
【図３】
2007250509.tif 000005
【図４】
2007250509.tif 000006
【図５】
2007250509.tif 000007
【図６】
2007250509.tif 000008
【図７】
2007250509.tif 000009